(57)【要約】【課題】中古車について最新の情報が入るごとに更新して最新の中古車情報を提供するとともに、インターネットによる中古車販売購入の仲介をする中古車情報提供・売買システムを提供する．【解決手段】中古車を販売する中古車販売店２と、中古車を購入しようとするユーザー３と、中古車販売店の中古車情報を定期的に入手するたびに更新して最新の中古車情報を中古車情報誌およびインターネットのホームページにより流すとともに、中古車販売店２と最新の中古車情報のユーザー３との間で中古車購入販売の仲介をする中古車情報提供者１とをインターネットで接続した中古車情報提供・売買システム。【選択図】　　図１
2004070436.tif 000002
【特許請求の範囲】
【請求項１】
中古車を販売する中古車販売店と、
中古車を購入しようとするユーザーと、
中古車販売店の中古車情報を定期的に入手するたびに更新して最新の中古車情報を中古車情報誌およびインターネットのホームページにより流すとともに、前記中古車販売店と前記最新の中古車情報のユーザーとの間で中古車購入・販売の仲介をする中古車情報提供者とをインターネットで接続したことを特徴とする中古車情報提供・売買システム。
【請求項２】
前記最新の中古車情報が毎日更新されることを特徴とする請求項１記載の中古車情報提供・売買システム。
【発明の詳細な説明】
【０００１】
【発明の属する技術分野】
本発明は、中古車の販売あるいは購入の際に必要な、中古車に関する情報伝達をインターネットのホームページおよび中古車情報誌を利用して中古車情報を流すとともに、中古車の販売購入を仲介する、中古車情報提供・売買システムに関する。
【０００２】
【従来の技術】
中古車を販売あるいは購入する際に、中古車に関する情報（以下「中古車情報」という。）を掲載した中古車情報誌あるいは中古車情報を表示する、インターネットのホームページが利用されている。
【０００３】
図２は従来の中古車情報を伝達するシステムの一例を示す説明図である。
【０００４】
図２において、たとえば、中古車情報誌が月刊の場合、出版社４は、複数の中古車販売店（Ａ・・・Ｎ）２を月に１度の割で中古車情報誌の発売にあわせた締め切りを考慮して中古車情報の取材を行う。取材は、中古車の車名、価格、年式、車検、色、装備など中古車の購入や販売の際に必要な情報の入手、中古車の撮影などである。中古車販売店２は出版社４に情報を提供し、中古車情報誌に掲載してもらうことにより掲載料を出版社に支払う。
【０００５】
出版社４では、取材した各中古車販売店（Ａ・・・Ｎ）２の中古車情報をデータベースに入力し、各中古車販売店（Ａ・・・Ｎ）２の在庫情報を登録する。中古車情報は、締め切り時に最新の中古車情報に更新される。また、インターネットのホームページにおいても最新の中古車情報に更新される。
【０００６】
中古車情報誌の取材の締め切り後、中古車情報をデータ化し、中古車情報誌を作成し、発売する。最新の中古車情報は、インターネットのホームページにも表示される。
【０００７】
ユーザー３は中古車情報誌から中古車情報を入手、あるいはインターネットのホームページで検索して中古車購入の参考にし、条件に合う中古車を選定する。中古車を選定したユーザーは、中古車販売店２に問い合わせ、条件が合えば選定した中古車を購入する。
【０００８】
【発明が解決しようとする課題】
図２に示す従来のシステムは、中古車情報誌とインターネットのホームページの中古車情報は、中古車情報誌の締め切り後に取材した中古車情報が月に１度しか更新されないため、締め切り直前に取材した中古車販売店については最新の中古車情報が得られるものの、早い時期に取材した中古車販売店ついては、最新の中古車情報が得られず、実際とは異なる場合が生じるという欠点がある。
【０００９】
また、インターネットは、ユーザーが中古車情報の検索だけにしか使用されていないので、ユーザーが選定した中古車を購入しようとした場合、直接中古車販売店と交渉しなくてはならず、手間がかかり、有効利用されていないという問題がある。
【００１０】
そこで、本発明は、中古車について最新の情報が入るごとに更新して最新の中古車情報を提供するとともに、インターネットによる中古車販売購入の仲介をする中古車情報提供・売買システムを提供するものである。
【００１１】
【課題を解決するための手段】
本発明の中古車情報提供・売買システムは、中古車を販売する中古車販売店と、中古車を購入しようとするユーザーと、中古車販売店の中古車情報を定期的に入手するたびに更新して最新の中古車情報を中古車情報誌およびインターネットのホームページにより流すとともに、前記中古車販売店と前記最新の中古車情報のユーザーとの間で中古車購入販売の仲介をする中古車情報提供者とをインターネットで接続したことを特徴とする。前記最新の中古車情報は毎日更新することが望ましい。
【００１２】
【発明の実施の形態】
図１は本発明の中古車情報提供・売買システムの実施例を示す説明図である。図１は中古車情報誌が月刊の場合を示すものであるが、２週間に１回あるいは旬間であってもかまわない。
【００１３】
中古車情報提供者１は、複数の中古車販売店２の中古車情報の取材を、中古車情報誌の発売日を特に考慮することなく、たとえば各中古車販売店（Ａ・・・Ｎ）２につきそれぞれ週に１度の割で定期的に行い、最新の中古車情報を入手する。一つの中古車販売店２の中古車情報は、通常、一週間で大幅に変わるものではないので、１週ごとに取材することによってほぼ最新の中古車情報が得られる。なお、次の取材までの間に中古車情報に大幅に変更が生じた場合は、中古車販売店２からの情報提供の申し込みにより補ってもよい。取材の内容は、従来と同様に、中古車の車名、価格、年式、車検などの情報、車の撮影などである。なお、中古車販売店２は、中古車情報を中古車情報誌およびインターネットのホームページに載せてもらうために掲載料を中古車情報提供者１に支払う。
【００１４】
中古車情報提供者１は、各中古車販売店Ａ・・・Ｎから取材した中古車情報や中古車販売店２から提供された中古車情報をウエブデータベースに入力する。中古車情報は、入手されるたびに最新の中古車情報に更新される。通常、取材はいずれかの中古車販売店２を毎日行うので、ウエブデータベースに入力される中古車情報は、毎日更新されることになる。インターネットのホームページを開くと、更新された最新の中古車情報が表示されることになる。表示は、たとえば、各中古車の写真点数１１点につき車名、価格、年式などが合わせて表示される。したがって、ユーザー３は、この最新の中古車情報について検索を行うことができる。なお、ウエブ上から中古車情報を削除する際に、お客に直接販売する「一般小売り販売」、他の中古車販売店に売却する「業販売却」、オークションの落札により売却する「オークション売却」を選択し、そのデータを１週間あるいは１ケ月単位で集計し、この情報を売れ筋情報として中古車販売店２にフィードバックすることができる。
【００１５】
中古車情報誌の締め切り後、最新の情報を出版のためにデータ化し、中古車情報誌を作成し、発売する。ユーザー３は、この中古車情報誌により従来の中古車情報誌に比べて、より最新の中古車情報を得ることができる。
【００１６】
ユーザーは、中古車情報誌から得た中古車情報、あるいはインターネットのホームページの最新情報から検索して入手した中古車情報から、購入を希望する中古車を選定することができる。
【００１７】
中古車情報誌から中古車を選定したユーザー３は、電話、インターネットを介して、あるいは中古車情報提供者１の窓口に直接出向いて選定した中古車購入についての問い合わせあるいは申し込みを行う。インターネットを利用する場合、中古車情報誌に掲載されている中古車情報を、版号ページ番とウエブ上で入力すると、選定した中古車の一発検索ができ、さらに詳しい情報が得られる。
【００１８】
中古車情報提供者１は、ユーザー３からの申し込みを受けると、中古車販売店２に連絡して購入をユーザー３に代行して行う。ユーザーが中古車の購入を完了した後、中古車情報提供者１は、中古車販売店２から仲介のマージンを受け取る。
【００１９】
【発明の効果】
本発明の中古車情報提供・売買システムによれば、中古車情報が入るたびに更新されるので、最新の情報が得られる。
【００２０】
また、ユーザーは、中古車情報から選定した中古車の購入について中古車情報提供者に代行させることにより、手間を省くことができる。
【図面の簡単な説明】
【図１】本発明の中古車情報提供・売買システムの実施例を示す説明図である。
【図２】従来の中古車情報伝達システムの一例を示す説明図である。
【符号の説明】
１：中古車情報提供者
２：中古車販売店
３：ユーザー
４：出版社
【図１】
2004070436.tif 000003
【図２】
2004070436.tif 000004